(57)【要約】      （修正有）【課題】ペーパードリップコーヒーフィルターホルダーを提供する。【解決手段】ペーパードリップコーヒーフィルターホルダー１は耐熱性のペーパーモールドが折り曲げられることにより成形される。フィルターホルダー１は、カップ本体部１０と、前端の板紙２０と、後端の板紙３０と、底板４０と、第一封止シート５０と、第二封止シート６０とを備える。前端の板紙２０、後端の板紙３０、及び底板４０が相互に接合されてＵ字体が形成される。カップ本体部１０の前端及び後端は前端の板紙２０の上端及び後端の板紙３０の上端にそれぞれ粘着される。カップ本体部１０は前端の板紙２０及び後端の板紙３０により懸吊状に支えられる。カップ本体部１０の底部には少なくとも１つの小さい孔部が設けられ、且つ各小さい孔部を被覆させる濾紙が設置される。カップ本体部１０内には研磨後のコーヒー豆が入れられ、フィルターホルダー１はコーヒーカップの上端に設置されて使用される。【選択図】図２
0003210657.tif 000002
【実用新案登録請求の範囲】
【請求項１】
耐熱性ペーパーモールドが折り曲げられることにより成形され、前記ペーパーモールドは食品用の両面コート紙であるペーパードリップコーヒーフィルターホルダーであって、
ペーパーモールドが折り曲げられることにより方形の漏斗状に形成される漏斗形状のカップ本体部であって、前記カップ本体部の内部には研磨後のコーヒー豆が入れられ、前記カップ本体部の底部の中央部には小さい孔部が設けられ、且つ底部には透水性を有する濾紙が固設され、前記濾紙により前記小さい孔部が被覆されることと、
前記カップ本体部の前方に位置され、且つその上端が前記カップ本体部の前端の上端に粘着され、前記カップ本体部の前端に対して支持作用を発生させる前端の板紙であって、前記前端の板紙の幅は上から下にかけて増えることと、
前記カップ本体部の後方に位置され、且つその上端が前記カップ本体部の後端の上端に粘着され、前記カップ本体部の後端に対して支持作用を発生させる後端の板紙であって、前記後端の板紙の幅は上から下にかけて増えることと、
その前端が前記前端の板紙の下端に接合され、その後端が前記後端の板紙に粘着される底板であって、前記底板、前記前端の板紙、及び前記後端の板紙によりＵ字体が形成され、且つ前記カップ本体部は前記前端の板紙及び前記後端の板紙により懸吊状に支えられるようになり、前記底板の中央部に大きい孔部が設けられ、前記大きい孔部は前記カップ本体部の各小さい孔部の真下に位置され、前記底板の前から後ろにかけての長さが前記カップ本体部の前から後ろにかけての距離より長いことと、
長い板紙状であり、且つその長さは前記カップ本体部の開口部の幅より長い第一封止シートであって、前記第一封止シートは前記前端の板紙の上端及び前記カップ本体部の前端に接合され、且つ前記前端の板紙及び前記カップ本体部の上端より高いことと、 
長い板紙状であり、且つその長さは前記カップ本体部の前記開口部の幅より長い第二封止シートであって、前記第二封止シートは前記後端の板紙の上端及び前記カップ本体部の後端に接合され、且つ前記後端の板紙及び前記カップ本体部の上端より高く、前記第一封止シート及び前記第二封止シートが相互に粘着されることにより前記カップ本体部の前記開口部が封止され、また、前記相互に粘着された前記第一封止シート及び前記第二封止シートが切り取られることにより、前記カップ本体部の前記開口部が現れることを備えることを特徴とするペーパードリップコーヒーフィルターホルダー。
【請求項２】
前記カップ本体部は矩形平面が中央の折り目から内に向けて前後に折られ、同形の前面の板紙及び後面の板紙が形成され、前記前面の板紙及び後面の板紙には左右対称になる２本の第一折り目及び左右対称になる２本の第二折り目がそれぞれ設けられ、各第一折り目及び第二折り目は共に矩形平面の辺縁から前記小さい孔部の孔縁まで延伸され、前記第一折り目は前記第二折り目の内側に位置され、前記前面の板紙及び後面の板紙は前記２本の第一折り目が内に向けそれぞれ折り曲げられ、第二折り目が外に向けて折り曲げられ、且つ前記第二折り目と中央の折り目との間に接着面が形成され、前記前面の板紙及び後面の板紙の接着面が貼り合わせられて加熱溶接されることにより一体となり、方形の漏斗状に形成されることを特徴とする、請求項１に記載のペーパードリップコーヒーフィルターホルダー。
【請求項３】
前記前面の板紙及び後面の板紙の対応し合う接着面が粘着された後、前記カップ本体部の両側に左右２つの翼部が形成されることを特徴とする、請求項２記載のペーパードリップコーヒーフィルターホルダー。
【請求項４】
前記第一封止シートは前方に位置される第一長い板紙及び前記第一長い板紙の後方に位置される第二長い板紙が設置され、前記第一長い板紙の前端及び前記前端の板紙の上端が接合され、その後端及び前記第二長い板紙の前端が接合され、前記第二長い板紙の後端が前記カップ本体部に接合され、前記第一長い板紙及び前記第二長い板紙の接合線は外に向けて折られて貼り合わせられると共に加熱溶接され、前記第一封止シートが前記カップ本体部より高くなることを特徴とする、請求項１に記載のペーパードリップコーヒーフィルターホルダー。
【請求項５】
前記第二封止シートは第三長い板紙及び第四長い板紙が設置され、前記第三長い板紙の前端が前記カップ本体部の後端に接合され、前記第四長い板紙が後端の板紙の上端に接合され、前記第三長い板紙が前記第四長い板紙に貼り合わせられた後に加熱溶接されることにより一体となり、前記第二封止シートが前記カップ本体部より高くなることを特徴とする、請求項４に記載のペーパードリップコーヒーフィルターホルダー。
【考案の詳細な説明】
【技術分野】
【０００１】
本考案は、ペーパードリップコーヒーフィルターホルダーに関し、更に詳しくは、展開されると直立した状態となり、容器の上方に立設され、且つその上には研磨されたコーヒーパックが入れられる漏斗が設置され、ハンドドリップ方式でコーヒーが淹れられ、且つコーヒーが前記容器内に流入されるコーヒーフィルターホルダーに関する。
【背景技術】
【０００２】
コーヒーは中枢神経系統を刺激し、特に脳細胞に対しては、怒りをおさめ、眠気を覚まし、疲労を軽減させる作用がある。このため、忙しくてストレスも多い現代人は、コーヒーを飲んで心を落ち着け、精神を高めて仕事に臨めるようにしている。また、コーヒーは身体の基礎代謝を高め、老化を防ぎ、利尿作用を有し、胃腸の蠕動を刺激し、排便を促すため、多くの人に好まれている。現代社会において、コーヒーを飲むことがモダンなライフスタイルとなっている。
【０００３】
コーヒー専門店では、専門スタッフがコーヒー豆を研磨して粉状にし、ハンドドリップ方式または蒸らす方式でコーヒーを淹れる。コーヒーにミルク（または牛乳）や砂糖を入れるのが好きな人もいる。このため、市販のコーヒーはミルク砂糖入りのコーヒーが最も普及している。前記ミルク砂糖入りのコーヒーの内容物として、濃縮コーヒーパウダー、濃縮ミルクパウダー、砂糖を含む。前記ミルク砂糖入りコーヒーの淹れ方は、濃縮コーヒーパウダー、濃縮ミルクパウダー、砂糖を一緒にお湯に溶かす。これは煮出しコーヒーである。
【０００４】
コーヒーに詳しい人の大多数が絶対的な味覚を持っているわけではなく、コーヒーについての知識が一般人より詳しいにすぎない。ミルク砂糖入りコーヒーのコーヒーパックはコーヒー好きの人には良いコーヒーと認められなかった。ハンドドリップコーヒーは良いコーヒーの基本的な条件の１つとされている。ハンドドリップコーヒーを携帯可能にするために、市場にはドリップバッグ式のハンドドリップコーヒーパックが存在する（図１参照）。前記ハンドドリップコーヒーパック７０には研磨後のコーヒー豆７１が入れられる。前記コーヒーパック７０の両側にはハンガー７２が各々設置され、前記２つのハンガー７２を容器７３の縁に掛ける。お湯を前記コーヒーパック７０内に注ぐと、コーヒー液が前記コーヒーパック７０から流出され、容器７３内に流入される。しかしながら、前記容器７３の深さが浅いと、前記コーヒーパック７０がコーヒー７４中に浸漬してしまい、コーヒーパック７０の紙の味がコーヒー７４の味に影響してしまう場合があった。
【考案の概要】
【考案が解決しようとする課題】
【０００５】
本考案の主な目的は、ペーパードリップコーヒーフィルターホルダーを提供することにある。すなわち、コーヒー愛好者がいつでもどこでもお湯を注ぐことで美味しい本物のハンドドリップコーヒーが得られる。さらに、使用後に室内に置くことで、コーヒー豆に残留する淡いコーヒーの香りが室内に充満する。
【課題を解決するための手段】
【０００６】
上述した課題を解決し、目的を達成するために、本考案に係るペーパードリップコーヒーフィルターホルダーは、耐熱性のペーパーモールドが折り曲げられることにより成形され、前記ペーパーモールドは両面コート紙（Ｃｏａｔｅｄ ｐａｐｅｒ）で製造される。前記フィルターホルダーは、カップ本体部と、前端の板紙と、後端の板紙と、底板と、第一封止シートと、第二封止シートとを備える。前記前端の板紙、後端の板紙、及び底板が相互に接合されることによりＵ字体が形成される。前記カップ本体部の前端及び後端は前記前端の板紙の上端及び前記後端の上端にそれぞれ粘着される。前記カップ本体部は前記前端の板紙及び後端の板紙により懸吊状に支えられる。前記フィルターホルダーはコーヒーカップの上端に設置されて使用される。
【０００７】
前記カップ本体部は方形の漏斗状であり、その内部には研磨後のコーヒー豆が入れられる。前記カップ本体部の底部には少なくとも１つの小さい孔部が設けられ、且つその底部には濾紙が固設され、前記濾紙により前記小さい孔部が被覆される。
【０００８】
前記底板は水平状であり、且つその中央部には大きい孔部が設けられる。前記大きい孔部は前記カップ本体部の各小さい孔部の真下に位置され、前記各小さい孔部から流出するコーヒー液が前記大きい孔部を通過させてコーヒーカップ内に流入される。
【０００９】
前記第一封止シートは前記前端の板紙の上端及びカップ本体部の前端に接合され、且つ前記前端の板紙及び前記カップ本体部の上端より高い。前記第二封止シートは長い板紙状であり、前記後端の板紙の上端及びカップ本体部の後端に接合され、且つ前記後端の板紙及び前記カップ本体部の上端より高い。前記第一封止シート及び第二封止シートが相互に熱熔粘着されることにより前記カップ本体部の開口部が封止される。前記相互に粘着される第一封止シート及び第二封止シートが切り取られることにより、前記カップ本体部の開口部が現れる。
【００１０】
前記カップ本体部は矩形平面の複数本の折り目が折り曲げられることにより形成され、展開または封止機能を有する。
【考案の効果】
【００１１】
本考案によるペーパードリップコーヒーフィルターホルダーは、第一封止シート及び第二封止シートが相互に粘着された後、カップ本体部の上端の開口部が封止され、コーヒー豆がカップ本体部内に封入される。
【図面の簡単な説明】
【００１２】
【図１】従来の使用状況を示す概略図である。
【図２】本考案の好ましい実施形態の例を示す外観斜視図である。
【図３】図２に示す実施形態の折り畳みの前を示す展開図である。
【図４】図２に示す前端の板紙、第一封止シートが切り取られた傾斜図である。
【図５】本考案の断面図である。
【図６】図２に示すフィルターホルダーが折り畳まれて扁平状になる状況図である。
【図７】本考案がコーヒーカップに置かれて使用する状況図である。
【考案を実施するための形態】
【００１３】
以下、本考案の実施形態について、図２乃至図４を参照しながら説明する。本考案に係るペーパードリップコーヒーフィルターホルダー１は、耐熱性のペーパーモールド２が折り曲げられることにより成形される。前記ペーパーモールド２は両面コート紙（Ｃｏａｔｅｄ ｐａｐｅｒ）で製造される。前記フィルターホルダー１は、カップ本体部１０と、前端の板紙２０と、後端の板紙３０と、底板４０と、第一封止シート５０と、第二封止シート６０とを備える。前記前端の板紙２０、後端の板紙３０、及び底板４０が相互に接合されることによりＵ字体が形成される。前記カップ本体部１０の前端及び後端は前記前端の板紙２０の上端及び前記後端の板紙３０の上端にそれぞれ粘着されることにより接合される。前記カップ本体部１０は前記前端の板紙２０及び後端の板紙３０により懸吊状に支えられる。前記底板４０は水平状であり、且つ前から後ろにかけての長さが前記カップ本体部１０の前から後ろにかけての距離より長く、前記フィルターホルダー１は上が小さく下が大きい形態を呈し、重心が安定して倒れにくくなる。前記フィルターホルダーはコーヒーカップ３の上端に設置されて使用される（図７参照）。
【００１４】
前記カップ本体部１０の底部には小さい孔部１１が設けられる。前記カップ本体部１０の底部には透水性を有する濾紙１２が固設され、前記濾紙１２により前記小さい孔部１１が被覆される。図５に示すように、前記カップ本体部１０内には研磨後のコーヒー豆１３が入れられる。前記濾紙１２によりコーヒー豆１３が前記小さい孔部１１から零れ落ちるのを防止させ、また、コーヒー液が通過させて前記コーヒーカップ３中に流入される。前記フィルターホルダーはコーヒーカップ上に設置されて使用される（図７参照）。８０〜９０℃のお湯が前記カップ本体部１０内にゆっくり注入され、コーヒー液が抽出される。前記コーヒー液は前記カップ本体部１０の小さい孔部１１から下に向け流出され、且つ前記底板４０の既設の大きい孔部４１を通過させて、前記コーヒーカップ３内に流入される。
【００１５】
前記漏斗形状のカップ本体部１０は前記ペーパーモールド２に対する位置において、矩形平面１０’の中央の折り目１４が内に向けて前後に折り曲げられることにより同形の前面の板紙１４１及び後面の板紙１４２が形成される。前記前面の板紙１４１及び後面の板紙１４２には左右対称になる２本の第一折り目１５及び左右対称になる２本の第二折り目１６がそれぞれ設けられる。各第一折り目１５及び第二折り目１６は共に矩形平面１０’の辺縁が前記小さい孔部１１の孔縁まで延伸される。前記第一折り目１５は前記第二折り目１６の内側に位置される。前記前面の板紙１４１及び後面の板紙１４２はそれぞれ前記２本の第一折り目１５が内に向けて折り曲げられ、第二折り目１６が外に向けて折り曲げられ、且つ前記第二折り目１６と中央の折り目１４との間に接着面１７が形成される。前記前面の板紙１４１及び後面の板紙１４２の接着面１７同士が貼り合わせられて加熱溶接されることにより一体となり、方形の漏斗形状が構成される。前記前面の板紙１４１及び後面の板紙１４２の対応し合う接着面１７同士が加熱溶接された後、前記カップ本体部１０の両側に左右２つの翼部１８が形成される。
【００１６】
また、図５を参照すれば、前記前端の板紙２０は前記カップ本体部１０の前方に位置され、且つその上端及び前記カップ本体部１０の前端の上端が粘着され、前記カップ本体部１０の前端に対する支持作用が発生する。前記前端の板紙２０の幅は上から下にかけて増える。
【００１７】
なお、前記後端の板紙３０は前記カップ本体部１０の後方に位置され、且つその上端及び前記カップ本体部１０の後端の上端が粘着され、前記カップ本体部１０の後端に対する支持作用が発生する。前記後端の板紙３０の幅は上から下にかけて増える。
【００１８】
前記底板４０の前端及び前記前端の板紙２０の下端が接合され、その後端及び前記後端の板紙３０の下端が接合される。前記底板４０は水平状であり、且その中央部には大きい孔部４１が設けられる。前記大きい孔部４１は前記カップ本体部１０の各小さい孔部１１の真下に位置され、前記各小さい孔部１１から流出されるコーヒーが前記大きい孔部４１を通過させる。
【００１９】
さらに、前記第一封止シート５０は長い板紙状であり、且つその長さは前記カップ本体部１０の開口部の幅より長い。前記第一封止シート５０は前記前端の板紙２０の上端及びカップ本体部１０の前端に接合され、且つ前記前端の板紙２０及び前記カップ本体部１０の上端より高い。前記第二封止シート６０は長い板紙状であり、且つその長さは前記カップ本体部１０の開口部の幅より長い。前記第二封止シート６０は前記後端の板紙３０の上端及びカップ本体部１０の後端に接合され、且つ前記後端の板紙３０及び前記カップ本体部１０の上端より高い。前記第一封止シート５０及び第二封止シート６０が相互に加熱溶接されることにより粘着され、前記カップ本体部１０の開口部が封止され、コーヒー豆１３が前記カップ本体部１０内に封入される。また、前記相互に粘着される第一封止シート５０及び第二封止シート６０が切り取られることにより、前記カップ本体部の開口部が現れる（図７参照）。前記フィルターホルダーはコーヒーカップの上方に設置され、ハンドドリップコーヒーを作れる。前記第一封止シート５０と前記前端の板紙２０及びカップ本体部１０との接合箇所には切り取り線５１が設けられ、切り取りやすくなる。同様に、前記第二封止シート６０と前記後端の板紙３０及びカップ本体部１０との接合箇所には切り取り線６１が設けられ、切り取りやすくなる。
【００２０】
前記ペーパーモールド２に対する位置に、前記第一封止シート５０は前方に位置される第一長い板紙５２及び前記第一長い板紙５２の後方に位置される第二長い板紙５３が設置される。前記第一長い板紙５２の前端及び前記前端の板紙２０の上端が接合され、その後端及び前記第二長い板紙５３の前端が接合される。前記第二長い板紙５３の後端及び前記カップ本体部１０が接合される。前記第一長い板紙５２及び前記第二長い板紙５３の接合線が外に向けて折り曲げられて貼り合わせられると共に加熱溶接され、前記第一封止シート５０が前記カップ本体部１０より高くなる。
【００２１】
前記ペーパーモールド２に対する位置に、前記第二封止シート６０は第三長い板紙６２及び第四長い板紙６３が設置される。前記第三長い板紙６２の前端及び前記カップ本体部１０の後端が接合される。前記第四長い板紙６３及び後端の板紙３０の上端が接合される。前記第三長い板紙６２及び前記第四長い板紙６３が貼り合わせられて加熱溶接されることにより一体となり、前記第二封止シート６０が前記カップ本体部１０より高くなる。また、前記第三長い板紙６２及び前記第四長い板紙６３が貼り合わせられて一体となり、前記フィルターホルダー１が直立する構造体として構成される。
【００２２】
前記フィルターホルダー１の第一封止シート５０及び第二封止シート６０が粘着されることにより前記カップ本体部１０の開口状態が封止され、コーヒー豆１３が前記カップ本体部１０内に封入される。この際、フィルターホルダー１が折り畳まれて扁平状に近くなり、図８に示すように、封止されたビニール包装袋（図示せず）内に収納され、販売される。使用時には、前記包装袋を破いて前記フィルターホルダー１を取り出し、前記第一封止シート５０及び第二封止シート６０を開いて、前記カップ本体部１０の開口部を露出させる。
【００２３】
前記フィルターホルダー１はハンドドリップコーヒーの過程において、前記カップ本体部１０はコーヒーカップ３の上方に設置され、前記カップ本体部１０がコーヒー液内に浸漬されず、コーヒー液の純度が高くなる。前記フィルターホルダー１のコーヒー豆に１回お湯が注がれた後、コーヒーカップ３の上方から取り下ろされ、皿（図示せず）に置かれると、コーヒーが飲みやすくなる。前記フィルターホルダー１に再度お湯が注がれると、ハンドドリップ方式で２杯目のコーヒーが作れる。コーヒーが淹れ終わった後のフィルターホルダー１は、コーヒー豆１３の水分が蒸発した後、卓上に直接置かれるとコーヒー豆の香りが広がり、コーヒー好きにとっては芳香剤となる。
【００２４】
前記フィルターホルダー１の前端の板紙２０及び後端の板紙３０には歴史物語、旅行風景、歴史上の人物の生涯等の情報が印刷される。これら印刷内容もコーヒー好きの人達が集まって会話するための話題の種となる。
【００２５】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２６】
１  フィルターホルダー
２  ペーパーモールド
３  コーヒーカップ
１０  カップ本体部
１０’  矩形平面
１１  小さい孔部
１２  濾紙
１３  コーヒー豆
１４  中央の折り目
１４１  前面の板紙
１４２  後面の板紙
１５  第一折り目
１６  第二折り目
１７  接着面
１８  翼部
２０  前端の板紙
３０  後端の板紙
４０  底板
４１  大きい孔部
５０  第一封止シート
５１  切り取り線
５２  第一長い板紙
５３  第二長い板紙
６０  第二封止シート
６１  切り取り線
６２  第三長い板紙
６３  第四長い板紙
７０  コーヒーパック
７１  コーヒー豆
７２  ハンガー
７３  容器
７４  コーヒー
【図１】
0003210657.tif 000003
【図２】
0003210657.tif 000004
【図３】
0003210657.tif 000005
【図４】
0003210657.tif 000006
【図５】
0003210657.tif 000007
【図６】
0003210657.tif 000008
【図７】
0003210657.tif 000009